【事件の表示】
　平成　３年特許願第　９７８６７号「メモリカードの記憶管理方式」拒絶査定に対する審判事件［平成　４年１０月２９日出願公開、特開平　４−３０７６４４］について、次のとおり審決する。
【結　論】
　本件審判の請求は、成り立たない。
【理　由】
１．手続の経緯・本願発明
　本願は、平成３年４月４日の出願であって、その請求項１に係る発明は、特許請求の範囲の請求項１に記載された以下のとおりのものである。
「記憶素子としてフラッシュ型のＥＥＰＲＯＭを備えたメモリカードに、データとともにその管理情報を追記的に記憶させるメモリカードの記憶管理方式において、
　前記ＥＥＰＲＯＭの内容がすべて同値状態である初期状態にて、前記データが書き込まれる大きさが１クラスタの複数のデータ領域と、該複数のデータ領域にそれぞれ対応して前記管理情報が書き込まれる複数の管理領域とが形成され、
　前記管理領域は、該管理領域に対応する前記データ領域にデータが書き込まれるまでは前記初期状態と同じ状態に保持され、対応するデータ領域にデータが書き込まれたときに初期状態とは異なる値となって該データが書き込まれたデータ領域が使用されたことを示す使用コードが書き込まれる識別エリアと該データが書き込まれたデータ領域の開始クラスタのスタート番地および最終クラスタのスタート番地／最終番地が書き込まれる情報エリアをそれぞれ備え、
　前記ＥＥＰＲＯＭにデータを書き込む際またはデータを読み出す際には、前記識別エリアに前記使用コードが書き込まれているか否かを読み取ることにより、データ領域の記録および未記録の判定を行なって、データの読み出しまたは書き込みを行なうことを特徴とするメモリカードの記憶管理方式。」
　　　　　　　　　　
２．引用例の記載
　当審における拒絶理由通知において引用した各引用例には、以下の事項が記載されている。
Ａ．引用例１：特開昭６０−４５９９４号公報
（１）「ＰＲＯＭの一部にページ使用情報エリアを形成するとともに他の部分を各ページに対応するページエリヤとし、書込みの場合には前記ページ使用情報エリアにページ使用情報を書込むとともに対応するページエリヤに新データを書き込み、読み出しの場合にはページ使用情報エリヤのページ使用情報を参照して対応するページエリヤのデータを読み出すようにしたことを特徴とするＰＲＯＭによる情報記録方法。」（第１頁左下欄第５行乃至第１３行、特許請求の範囲の記載から抽出）
（２）「本発明は、バツテリーによるバツクアツプなしで不揮発性ＲＡＭを構成することができるＰＲＯＭによる情報記憶方法を提供することを目的とする。」（第１頁第１２行乃至第１５行から抽出）
（３）「本実施例は紫外線消去ＥＰＲＯＭを用いたものであり、このＥＰＲＯＭは書込みの状況では全てのビットが“１”の状態になっているものである。」（第１頁右下欄第１７行乃至第２０行から抽出）
（４）「１ワード８ビットで００１６〜７Ｆ１６の番地を持っており、００〜０３番地をページ使用情報エリヤとし、他の部分は４番地ごとに区切ってページエリヤとする。」（第２頁第１行乃至第４行から抽出）
（５）「第１回目の書込みでは、００番地のビット６（１ページ情報ビット）を“０”に書き、１ページ目のページエリヤにデータを書き込む。そして、読出しの場合には、ページ使用情報エリヤの状態を読む。この状態では、データは１ページに書かれているとし、１ページの読み出しを行なう。」（第２頁左上欄第５行乃至第１１行から抽出）
（６）「第２回目の書込みは、ページ使用情報エリヤを読み出し、現ページが１ページであることを知り、次の書き込みは２ページであることを知り、２ページ情報ビットを“０”とし、２ページ目のページエリヤにデータを書きこむ。」（第２頁左上欄第１２行乃至第１６行から抽出）
（７）「このようにして、順次ページ毎の書きこみが行なわれるが、読み出しの場合は、最終的に記憶されているページを読み出す。」（第２頁右上欄第２行乃至第４行から抽出）
（８）「本実施例においては、ページ使用情報は１Ｆまであり、ページも１Ｆ（３２ページ）まで存する。」（第２頁右上欄第５行乃至第７行から抽出）
　上記（１）〜（８）の事項を参照すると、上記引用例１には、
　記憶素子として紫外線消去ＥＰＲＯＭを備えたメモリに、ページ使用情報エリアと各ページに対応するページエリヤを形成し、書込みの場合にはページ使用情報エリアにページ使用情報を書込むとともに対応するページエリヤに新データを書き込むＰＲＯＭによる情報記録方法において、
　ＥＰＲＯＭの書込みの初期状況では全てのビットが“１”の状態になっていて、データが書き込まれる４番地ごとに区切ったページエリヤと、各ページエリアに対応してページ使用情報が書込まれる１ワード８ビットで００１６〜７Ｆ１６の番地を持っているページ使用情報エリアが形成され、
　ページ使用情報エリアは、ページ使用情報エリアに対応するページエリアにデータが書込まれるまでは、ビットが“１”の初期状態に保持され、対応するページエリアにデータが書込まれたときに初期状態と異なる“０”の値となって、データが書き込まれたページエリアが使用されたことを示すページ使用情報が書込まれる情報エリアであり、
　紫外線消去ＥＰＲＯＭに書込む際には、ページ使用情報エリヤを読み出し、現ページを確認して、次の書き込みページを知り、次のページ情報ビットを“０”とし、次のページエリヤにデータを書きこみ、このようにして、順次ページ毎の書きこみが行なわれ、読み出しの場合にはページ使用情報エリヤのページ使用情報を参照して対応するページエリヤのデータを読み出すＰＲＯＭによる情報記憶方法の発明（以下、「引用例１記載の発明」という。）が記載されていると認められる。
　　　　　　　　　　　
Ｂ．引用例２：特開平１−１６６２８１号公報　　　　　　　　　　　　　
（１）「消去可能な不揮発性メモリと、この不揮発性メモリに対してデータの読出しおよび書込みを行なうための制御部を有し、選択的に外部からの入出力を行ない、かつ前記不揮発性メモリは少なくとも２つのエリアに分割されていて、これらエリアのうち少なくとも一つはエリア定義情報エリアで、このエリア定義情報エリアにエリア定義情報を記憶することにより、この記憶したエリア定義情報によって前記分割された他のエリアを定義する携帯可能電子装置であって；
　前記エリア定義情報にそのエリア定義情報で定義されるエリアがどのようなコード情報でデータが記憶されているかを識別可能な識別情報を付加することを特徴とする携帯可能電子装置。」（第１頁左下欄第５行乃至第１８行、特許請求の範囲の記載から抽出）
（２）「本発明は、たとえば消去可能な不揮発性メモリおよびＣＰＵなどの制御素子を有するＩＣ（集積回路）チップを内蔵した、いわゆるＩＣカードと称される携帯可能電子装置に関する。」（第１頁右下欄第１１行乃至第１４行から抽出）
（３）「最近、新たな携帯可能なデータ記憶媒体として、ＥＥＰＲＯＭなどの消去可能な不揮発性メモリおよびＣＰＵなどの制御素子を有するＩＣチップを内蔵したＩＣカードが開発されている。」（第１頁右下欄第１６行乃至第１９行から抽出）
（４）「データメモリ１２は、たとえば第１図に示すように、エリア定義情報エリア１２１とデータエリア１２２とに大きく二分されている。エリア定義情報エリア１２１には、データエリア１２２を複数のエリアに分割定義するエリア定義情報が記憶される。１つのエリアを分割定義するエリア定義情報は、エリア固有の番号を定義するエリア番号、データエリアにおける位置を定義する先頭アドレス、およびエリアの大きさを定義するエリアサイズからなっている。」（第３頁右上欄第３行乃至第１２行から抽出）
　上記（１）〜（４）の事項を参照すると、上記引用例２には、消去可能なＥＥＰＲＯＭ不揮発性メモリおよびＣＰＵなどの制御素子を有するＩＣ（集積回路）チップを内蔵したＩＣカードにおいて、消去可能な不揮発性メモリは２つのエリアに分割され、一つはエリア定義情報エリアで、このエリア定義情報エリアに記憶したエリア定義情報によって分割された他のエリアを定義し、１つのエリアを分割定義するエリア定義情報は、エリア固有の番号を定義するエリア番号、データエリアにおける位置を定義する先頭アドレス、およびエリアの大きさを定義するエリアサイズ及び識別情報からなるＩＣカード携帯可能電子装置の発明（以下、「引用例２記載の発明」という。）が記載されていると認められる。
　　　　　　　
３．対比
　そこで、請求項１に係る発明と引用例１記載の発明とを比較すると、
（１）引用例１記載の発明の「紫外線消去ＥＰＲＯＭ」も、請求項１に係る発明の「フラッシュ型のＥＥＰＲＯＭ」も「消去可能なメモリ」である点では一致していると認められる。
（２）引用例１記載の発明の「ページエリヤ」、「ページ使用情報エリア」は、請求項１に係る発明の「データ領域」、「管理領域」に相当していると認められる。
（３）引用例１記載の発明の「ページ使用情報」は、請求項１に係る発明の「データ領域が使用されたことを示す使用コード」に相当していると認められる。
（４）引用例１記載の発明の「全てのビットが“１”の状態になっている状態」は、請求項１に係る発明の「内容がすべて同値状態である初期状態」に相当していると認められる。
（５）引用例１記載の発明の「書込む際には、ページ使用情報エリヤを読み出し、現ページを確認して、次の書き込みページを知り、次のページ情報ビットを“０”とし、次のページエリヤにデータを書きこみ、このようにして、順次ページ毎の書きこみが行なわれる」点は、請求項１に係る発明の「データを書き込む際には、識別エリアに使用コードが書き込まれているか否かを読み取ることにより、データ領域の記録および未記録の判定を行なって、データの書き込みを行なう」点に相当していると認められる。
（６）引用例１記載の発明の「読み出しの場合にはページ使用情報エリヤのページ使用情報を参照して対応するページエリヤのデータを読み出す」点は、請求項１に係る発明の「読み出す際には、識別エリアに使用コードが書き込まれているか否かを読み取ることにより、データ領域の記録および未記録の判定を行なって、データの読み出しを行なう」点に相当していると認められる。
（７）また、引用例１記載の発明の「ＰＲＯＭによる情報記憶方法」も請求項１に係る発明の「メモリカードの記憶管理方式」も「メモリの記憶管理方式」に関するものである点では一致していると認められる。
　　　　　　　
　したがって、両者は、以下の点で一致し、以下の各点で相違していると認められる。
＜一致点＞
　記憶素子として消去可能なメモリに、データとともにその管理情報を追記的に記憶させるメモリの記憶管理方式において、
　前記メモリ内容がすべて同値状態である初期状態にて、前記データが書き込まれる複数のデータ領域と、該複数のデータ領域にそれぞれ対応して前記管理情報が書き込まれる複数の管理領域とが形成され、
　前記管理領域は、該管理領域に対応する前記データ領域にデータが書き込まれるまでは前記初期状態と同じ状態に保持され、対応するデータ領域にデータが書き込まれたときに初期状態とは異なる値となって該データが書き込まれたデータ領域が使用されたことを示す使用コードが書き込まれる識別エリアを備え、
　前記メモリにデータを書き込む際またはデータを読み出す際には、前記識別エリアに前記使用コードが書き込まれているか否かを読み取ることにより、データ領域の記録および未記録の判定を行なって、データの読み出しまたは書き込みを行なうことを特徴とするメモリの記憶管理方式である点。
　　　　　
＜相違点＞
（１） メモリの記憶管理方式が、請求項１に係る発明では、フラッシュ型のＥＥＰＲＯＭを備えたメモリカードに関するものであるのに対し、引用例１記載の発明では、紫外線消去のＥＰＲＯＭに関するものである点。
（２）データが書き込まれるデータ領域の大きさが、請求項１に係る発明では、１クラスタの大きさであるのに対し、引用例１記載の発明では、ページである点。
（３）管理領域に備えられるエリアが、請求項１に係る発明では、データ領域の開始クラスタのスタート番地および最終クラスタのスタート番地／最終番地が書き込まれる情報エリアを備えるのに対し、引用例１記載の発明では、データ領域の開始・終了に関する情報を書き込む情報エリアは備えられていない点。
　　　　　　　
４．判断
　上記（１）の点については、上記引用例２には、消去可能なＥＥＰＲＯＭなどの不揮発性メモリを備えたカードの発明が記載されており、また、フラッシュタイプのＥＥＰＲＯＭからなるメモリも、本願の出願（平成３年３月）の時点では、周知技術（例えば、特開平１−２０１８８９号公報第２頁右上欄第１８行乃至左下欄第４行参照）であると認められるから、引用例１記載の発明の紫外線消去のＥＰＲＯＭに代えて、フラッシュ型のＥＥＰＲＯＭを備えたメモリカードを採用することは、当業者が容易に想到し得ることであると認められる。また、消去によって初期状態になるメモリを、管理領域とデータ領域に分割して管理するという引用例１記載の発明を、同様に、消去により初期状態になる特性を有するフラッシュ型のＥＥＰＲＯＭに適用して、請求項１に係る発明の構成とすることは当業者が容易になし得たことであると認められる。
　上記（２）のデータ領域の大きさを１クラスタとする点については、引用例１記載の発明においても、ページエリアは一定の大きさのデータ領域を示しており、データ領域の大きさをどの程度のものとするかどうかは、メモリに格納する個別のデータ対象に応じて当業者が適宜設定できることであると認められる。また、データの取り扱いを容易にするために、メモリに格納制御するデータの大きさをクラスタと呼ばれるレコード群とすることは、本願の出願（平成３年３月）時点では周知技術（例えば、特開昭６３−１５８６４２号公報第２頁右下欄第１４行乃至第３頁右上欄第１行参照）であると認められ、引用例１記載の発明のデータ領域の大きさをページ単位からクラスタへと変更して、請求項１に係る発明の構成とすることは、当業者が容易になし得たことであると認められる。
　また、上記（３）のデータ領域の開始クラスタのスタート番地および最終クラスタのスタート番地／最終番地が書き込まれる情報エリアを備える点については、引用例２記載の発明は、エリア定義情報として、エリア固有番号のみならず、エリアの位置を定義する先頭アドレス、およびエリアの大きさを定義するエリアサイズ等を記憶する構成を備えており、携帯可能なＩＣカード等のメモリの管理領域に、データ領域を識別する番号のみならず、データ領域の開始・終了番地に対応する先頭アドレス、エリアサイズ等を書き込むことは通常の構成であると認められる。そして、上記（２）のようにデータ領域の大きさをクラスタとする場合に、データ領域の先頭アドレスや最終アドレスに対応する、開始クラスタのスタート番地および最終クラスタのスタート番地／最終番地を書き込む構成を採用することも、当業者が必要に応じて容易に想到し得ることであると認められる。
　　　　
５．むすび
　以上のとおりであるから、請求項１に係る発明は、引用例１，２記載の発明及び周知技術に基いて当業者が容易に発明をすることができたものと認められ、特許法第２９条第２項の規定により特許を受けることができない。